(57)【要約】  １回使用引込み式注射器（１０）が、一端において針（１６）を担持する内部バレル（４４）を有し、外部バレル（１１）の内部においてスライド可能である。パッケージ状態において、内部バレルは、内部バレルの上のルアー接続に針を取り付けることができ、かつ針が外部バレルの第１端部（１８）から突き出るように、外部バレルに対してある位置にある。内部バレルは、各端部に隣接して第１と第２のラッチ手段（４０、４１、４３）をそれぞれ有し、外部バレルは、第２端部に隣接する内壁表面上に保持手段（４８）を有する。内部バレルの第１ラッチ手段（４０）が保持手段と係合するとき、注射器は、使用の準備が完了した位置にあり、プランジャの第１完全押込み後、内部バレルは解放され、第２ラッチ手段（４１、４３）が保持手段と永続的に係合する位置に移動する。次いで、針は、外部バレルの内部に完全に封入され、内部バレルは、外部バレルの第２端部（１９）から突き出る。
2007529243.tif 000002
【特許請求の範囲】
【請求項１】
第１端部と第２端部を有する外部バレルと、前記外部バレルの内部で縦方向にスライド可能であり、かつ一端に針を担持し、その針が前記外部バレルの前記第１端部にあるアパーチャを経て突き出て、かつ内部バレルの流体保持室と流体連絡するように適合された内部バレルと、前記室内にあり、前記室の中に流体を引き込み、前記室から前記針を介して流体を排出するように作動可能なピストンと、前記ピストンに接続され、第１と第２の間隔をおいて位置され、前記保持手段とそれぞれ係合するラッチ手段を有する前記内部バレルの他端と内壁表面上に保持手段を有する前記外部バレルの第２端部とから外に延びるプランジャと、前記内部バレルを前記第２位置に向かってバイアスさせるバイアス手段とを備え、前記ラッチ手段は、前記針が前記外部バレルから出ており、使用可能位置にある第１位置と、前記針が前記外部バレルの内部に完全に引き込まれる第２位置との２つの位置のいずれかにおいて、前記外部バレルに対して前記内部バレルをラッチし、前記プランジャは、プランジャが完全に押し込まれ、それにより、前記内部バレルが前記第２位置に移動することができるとき、前記第１ラッチ手段を前記保持手段から外す手段を有し、前記第２位置において、前記第２ラッチ手段が、前記保持手段と係合して、前記内部バレルと前記外部バレルとの間のさらなる相対運動を防止し、また、リミット・キャッチが前記プランジャに設けられ、そのリミット・キャッチが、前記プランジャの初期作動時に、前記プランジャが完全に押し込まれて、前記第１ラッチ手段が前記保持手段から外れるのを防止するが、次のプランジャの押込み時に前記第１ラッチ手段を外すように、前記プランジャを十分に押し込むことができるようにすることを特徴とする注射器。
【請求項２】
前記内部バレルが前記第２位置にあるとき、前記外部バレルの前記第２端部から実質的に突き出る請求項１に記載の注射器。
【請求項３】
前記第１ラッチ手段が、前記内部バレルの前記他端に隣接して環状突出部を備え、前記突出部が、前記内部バレルの外面の先細り溝の内部に位置して、前記保持手段と係合するように適合される請求項２に記載の注射器。
【請求項４】
前記第２ラッチ手段が、前記内部バレルの前記一端に環状ステップを、環状ステップから短距離にある第２環状突出部との組合わせで備え、前記第２環状突出部が前記内部バレルの残りの外径より大きい外径を有する請求項３に記載の注射器。
【請求項５】
前記保持手段が、前記外部バレルの縦方向に延び、かつ前記環状突出部を収容するように間に空間を有する少なくとも１対の対向柔軟フィンガーを備え、前記フィンガーが、前記先細り溝に入り、かつ前記環状突出部と係合するように、通常状態において隣接先端で内向きに傾斜する請求項４に記載の注射器。
【請求項６】
前記保持手段が、前記外部バレルの前記第２端部で永続的に保持され、かつ前記外部バレルの部分を形成するインサートに設けられる請求項５に記載の注射器。
【請求項７】
前記インサートの回りに等間隔で位置する前記対向柔軟フィンガーの４つの対が存在する請求項６に記載の注射器。
【請求項８】
前記内部バレルの前記第２位置において、前記環状ステップが、前記内部バレルが前記第１位置に移動するのを永続的に防止するように、各対の前記内部の４つのフィンガーによって係合され、前記第２環状突出部が、前記内部バレルが前記外部バレルから引き出されるのを防止するように前記インサートと係合する請求項７に記載の注射器。
【請求項９】
前記第１ラッチ手段を前記保持手段から外すための前記プランジャの上の前記手段が、各対の前記フィンガーの１つと係合して、前記内部バレルの前記他端における前記第２環状突出部との係合からフィンガーを外向きに湾曲させ、それにより、前記内部バレルが前記第１位置から前記第２位置に移動することができる環状リッジを備える請求項８に記載の注射器。
【請求項１０】
管状延長部が、前記内部バレルの前記一端の上に提供され、前記延長部が、先端にのこぎり歯周端部を有し、前記外部バレルが、前記内部バレルの前記のこぎり歯端部と対向する関係で内向きのこぎり歯第１前記端部を有し、それにより、前記内部バレルが、前記外部バレルに対して前記第１位置にあり、前記それぞれのこぎり歯端部が、前記内部バレルと前記外部バレルとの間の相対回転を防止するように係合する請求項９に記載の注射器。
【請求項１１】
前記第２環状突出部が、前記管状延長部の上に位置し、前記バイアス手段を提供するばねの端部を保持するようにさらに作用する請求項８に記載の注射器。
【請求項１２】
前記内部バレルが、その外面に停止手段を有し、停止手段が、前記内部バレルが前記外部バレルから引き出されるのを防止する前記第２位置に前記内部バレルがあるとき、前記保持手段と係合する請求項２に記載の注射器。
【請求項１３】
前記保持手段が前記外部バレルの内面上に環状溝を備える請求項１２に記載の注射器。
【請求項１４】
前記第１ラッチ手段が、前記環状溝と係合するために前記内部バレルの前記他端の上に構成された第１の一連の柔軟フィンガーを備え、それにより、前記内部バレルが前記第２位置に向かう方向に移動することを防止する請求項１３に記載の注射器。
【請求項１５】
前記第１ラッチ手段を接触させる前記手段が、前記プランジャの完全押込み時に前記環状溝から内向きかつ外部に前記フィンガーをカムするように前記フィンガーと係合する環状リッジを前記プランジャの上に備え、それにより、前記バイアス手段が、前記内部バレルを前記第２位置に移動させる請求項１４に記載の注射器。
【請求項１６】
前記第２ラッチ手段が、前記内部バレルの前記一端の上に構成された第２の一連の柔軟フィンガーを備える請求項１５に記載の注射器。
【請求項１７】
前記停止手段が、前記内部バレルの前記外面の上にアバットメントを備え、前記アバットメントが、前記内部バレルが前記外部バレルから取り除かれるのを防止するために前記環状溝と係合する請求項１６に記載の注射器。
【請求項１８】
前記針がルアー接続によって前記内部バレルに接続される請求項１７に記載の注射器。
【請求項１９】
他の環状溝が、前記内部バレルが前記第１位置にあり、それにより、非湾曲状態において前記フィンガーを収容するとき、前記第２の一連の柔軟フィンガーを収容するために、前記第１端部に隣接する前記外部バレルの前記内面上に提供される請求項１８に記載の注射器。
【発明の詳細な説明】
【技術分野】
【０００１】
本発明は、内容が相互参照によって本明細書に組み込まれている本出願人の以前の国際出願ＰＣＴ／ＡＵ０２／００２９７、名称「Ｉｍｐｒｏｖｅｄ  ｎｏｎ−ｒｅｕｓａｂｌｅ  ｓｙｒｉｎｇｅ」において全般的に記載されている１回使用引込み注射器に関する。具体的には、本発明は、初期状態または非引込み状態の注射器の長さが著しく低減される以前のデバイスの改良に関する。
【背景技術】
【０００２】
引込み式および／または１回使用タイプの注射器は、十分に文書化されており、引込み式注射器の場合、針が医療従事者を刺す危険性を著しく低減するように作用し、１回使用タイプの場合、静脈医薬品使用者による再使用を排除するように作用する。本出願人の上述した以前の出願の注射器は、これらの目的の両方を満足するが、内部バレルが初期位置と引込み位置の両方において外部バレルの内部に留まり、その結果、外部バレル、したがって注射器全体が、医療従事者が好ましいと考えている長さより長くなるという欠点をかかえている。
【発明の開示】
【発明が解決しようとする課題】
【０００３】
したがって、本発明の目的は、使用の準備が完了している初期状態またはパッケージ状態においてサイズがコンパクトである１回使用引込み注射器を提供することである。
【課題を解決するための手段】
【０００４】
第１端部と第２端部を有する外部バレルと、前記外部バレルの内部で縦方向にスライド可能であり、かつ一端に針を担持し、その針が前記外部バレルの前記第１端部にあるアパーチャを経て突き出て、かつ内部バレルの流体保持室と流体連絡するように適合された内部バレルと、前記室内にあり、前記室の中に流体を引き込み、前記室から前記針を介して流体を排出するように作動可能なピストンと、前記ピストンに接続され、第１と第２の間隔をおいて位置され、前記保持手段とそれぞれ係合するラッチ手段を有する前記内部バレルの他端と内壁表面上に保持手段を有する前記外部バレルの第２端部とから外に延びるプランジャと、前記内部バレルを前記第２位置に向かってバイアスさせるバイアス手段とを備え、前記ラッチ手段は、前記針が前記外部バレルから出ており、使用可能位置にある第１位置と、前記針が前記外部バレルの内部に完全に引き込まれる第２位置との２つの位置のいずれかにおいて、前記外部バレルに対して前記内部バレルをラッチし、前記プランジャは、プランジャが完全に押し込まれ、それにより、前記内部バレルが前記第２位置に移動することができるとき、前記第１ラッチ手段を前記保持手段から外す手段を有し、前記第２位置において、前記第２ラッチ手段が、前記保持手段と係合して、前記内部バレルと前記外部バレルとの間のさらなる相対運動を防止し、また、リミット・キャッチが前記プランジャに設けられ、そのリミット・キャッチが、前記プランジャの初期作動時に、前記プランジャが完全に押し込まれて、前記第１ラッチ手段が前記保持手段から外れるのを防止するが、次のプランジャの押込み時に前記第１ラッチ手段を外すように、前記プランジャを十分に押し込むことができるようにすることを特徴とする注射器。
【０００５】
本発明をより容易に理解することが可能であるように、ここで、添付の図面を参照して、１つの特定の実施形態について記述する。
【発明を実施するための最良の形態】
【０００６】
図１〜７を参照すると、注射器１０は、外部バレル１１を備え、これは、各端部の開口から離れている部分が、完全にアパーチャのない円筒バレルである。内部バレル１２が、外部バレル１１と係合した状態で外部バレル１１の内部を縦方向に前後にスライドするように外部バレル１１の内部に嵌着される。内部バレル１２は、一端にネック１３を有し、反対側端部１４において開いている。ネック１３は、針ハウジング１５と係合するように適合され、針ハウジング１５に針１６が組み込まれている。針１６は、図面から明らかであるように、内部バレル１２の内部で室１７と流体連絡する。針１６は、ネック１３に嵌着されると、外部バレル１１の第１端部１８から突き出る。
【０００７】
ばね２０が、外部バレルの第１端部１８の内側に配置され、内部バレル１２を外部バレル１１の第２端部１９に向かってバイアスさせるように内部バレル１２に作用する。
【０００８】
ピストン２１が、内部バレル１２の内部に配置され、プランジャ２２の一端に取り付けられている。プランジャ２２は、外部バレルの第２端部１９と内部バレルの開放端部１４に入る。プランジャ２２の外端部は、以下において記述されるリミット・キャッチ２３を備える。外部バレルの第２端部１９にあるフランジ２４が、注射器の動作を容易にする。プランジャ２２の上の端部フランジ３４が、フランジ２４に接して置かれる第１指と第２指との間に外部バレルを保持しながらプランジャを押し込むために、使用者の親指による加圧を容易にする。
【０００９】
製造に好都合であるように、外部バレル１１は、１１で示される主円筒バレルと、外部バレルの第２端部１９に位置するインサート１１Ａとを備える２つの部分において形成される。インサート１１Ａの目的は、第２端部１９に近接して外部バレルの内面上に形成される環状溝２５の形成を容易にすることである。環状溝２５は、浅い部分２６とより深い部分２７を有し、溝の側面は、以下において明らかになる目的のために、内向きに傾斜している。第２環状溝２８が、第１端部１８に向かって外部バレル１１の内壁に形成され、この第２溝２８の目的も、以下において明らかになる。
【００１０】
内部バレル１２も、製造に好都合であるように２つの部分として形成され、主内部バレル１２と針ハウジング１５を含む。内部バレル１２は、端部１４において周上に等間隔で位置する３つのフィンガー２９を有する。フィンガーは、内部バレルの端部１４から片持ちにされ、通常位置から互いに向かって内向きに湾曲することが可能であるという点で弾性的である。フィンガーは、レッジ３０を有し、レッジ３０は、注射器が使用の準備が完了している初期状態にあるとき、内部バレルが外部バレルの端部１９から外の方向に移動するのを防止するために、溝２５の縁と係合する。この位置は、図面の図１において明らかである。
【００１１】
内部バレル１２は、フィンガー２９と反対の端部にも３つのフィンガー３１を有し、フィンガー３１も、バレル１２の周上に等間隔で位置する。フィンガー３１も弾性的であり、注射器が使用の準備が完了している通常位置にあるとき、外部バレル１１の内表面の環状溝２８に収容される。溝２８にフィンガー３１を収容することは、フィンガー３１が、使用前の注射器の貯蔵中に非湾曲状態にあり、それにより、フィンガーが、互いに向かって押されるときに弾性を維持することを保証することのみを目的とする。
【００１２】
プランジャ２２は、その外端部に向かって位置する環状のリッジまたはシェルフ３３を有する。リッジまたはシェルフ３３は、プランジャが注入ストロークの終了時に完全に押し込まれているとき、内部バレル１１のフィンガー２９と接触するように適合される。この接触により、フィンガー２９は内向きに湾曲して、溝２５から外れる。フィンガー２９が溝２５から外れた後、ばね２０の作用により、内部バレルは、外部バレルの第２端部１９に向かう方向に移動し、それにより、内部バレル、したがってプランジャは、外部バレル１１から外に、または外部バレル１１から離れる方向に移動する。これにより、針１６は、たとえば、図５に示されるように外部バレルの中に引き込まれる。
【００１３】
針が図５に示される位置に完全に引き込まれると、内部バレルの針端部にあるフィンガー３１は、内部バレルが外部バレルの中に戻る方向に移動するのを防止するように、環状溝２５に係合する。内部バレルが外部バレルから完全に引き出されるのを防止するために、内部バレルの外面上のアバットメント３２も環状溝２５に係合し、したがって、アバットメント３２とフィンガー３１との組合わせが、たとえば図５に示される位置において、内部バレルを外部バレルに対して永続的にロックする。
【００１４】
プランジャ２２の外端部に位置するリミット・キャッチ２３を記述することのみが残されている。リミット・キャッチは、本出願人の上述した国際特許ＰＣＴ／ＡＵ０２／００２９７において完全に記述されているが、便宜上ここで再び記述する。リミット・キャッチ２３は、プランジャ２２、したがってピストン２１が、注射器の第１動作時に内部バレル１２の前方または針端部先端に移動するのを防止する。プランジャ２２が初期事象時に注射器の針端部に向かって内向きに押された後（プランジャの封止を壊すために）、リミット・キャッチ２３は、その構造を変化させ、それにより、プランジャ２２の次の押込み時に、プランジャは、内部バレルにおける移動の前方最先端に移動することができる。
【００１５】
リミット・キャッチ２３は、本質的に、外部バレル１１の端部１９と当初係合する２つの対角対向フィンガー３６からなる。フィンガー３６のそれぞれは、フィンガーをプランジャ２２から外向きに離れてバイアスさせる弾性ヒンジ接続によって、プランジャの端部フランジ３４に取り付けられる。しかし、当初、各フィンガーの他端は、図面では明瞭でない膜３７によってプランジャに取り付けられる。各フィンガー３６は、部分間に柔軟接合を有する２つの部分において本質的に形成され、各フィンガーは、プランジャの狭くなる断面をわたって、それにより、空間または間隙３８が、明らかになる理由で各フィンガーの内面に形成される。フィンガー３６のそれぞれの部分の上のトングと溝３５が、膜３７が断片化されて、相対回転行為が２つの部分間において行われた後、２つの部分を異なる構成においてロックする。
【００１６】
注射器が初期状態またはパッケージ状態にある図１において明らかであるように、フィンガー３６は、間隙３８を通して、フランジ３４の端部と外部バレル１１の端部１９との間に接触を作り、プランジャが完全に押し込まれるのを防止する。注射器を使用する第１動作は、注射器がある時間貯蔵されていたことによりピストン２１と内部バレルとの間に生じるあらゆる封止を壊すために、プランジャを押し込むことである。プランジャのこの初期押込みにより、フィンガー３６は、２つの部分間の相互接続において回転し、それにより、２つの部分間のトングと溝とが係合し、フィンガーは、プランジャのそれぞれの側面上にある間隙３８の中に移動する。図２において明らかであるように、この運動により、フィンガーは、プランジャの完全押込みを防止する外部バレルの端部１９と係合する。プランジャが引き出され、フィンガーが外部バレルの端部１９から自由になった後、フィンガーは、フランジ３４との柔軟接続のバイアスのために外向きに回転する。フィンガーのこの外向き運動は、プランジャの次の押込み時に、フィンガーは、プランジャの押込みを限定するように外部バレルの端部と係合しないことを意味する（図３参照）。したがって、プランジャは、注入ストロークの際に行われるように完全に押し込むことができ、それにより、リッジ３３は、プランジャの完全押込み時に内部バレルの上のフィンガー２９と係合し、内部バレル、したがって針は、外部バレルの中に引き込まれる。
【００１７】
注射器の動作は、図７（ａ）から７（ｇ）を参照することにより容易に明らかになる。注射器は、針１６がない状態で製造後に封止パッケージにパッケージされ、内部バレルとプランジャが図７（ａ）に示される位置にある状態にある。使用者は、注射器をパッケージから取り出し、内部バレル１２の針ハウジング１５のルアー・ロックの上に針を取り付ける。次いで、プランジャ２２は、リミット・キャッチ２３がプランジャの完全押込みを防止する図７（ｂ）に示される位置に押し込まれる。この位置において、ピストン２１は、内部バレルのネック１３にほぼ至り、ごく小さい室が、ピストン２１とネック１３との間において内部バレルに存在する。
【００１８】
次の行為は、医薬品が針１６を介して内部バレル１２の中に引き込まれる吸引である。針は流体内にあり、プランジャは図７（ｃ）に示される位置まで外向きに引き出される。内部バレルは、外部バレルに対して依然として堅固に固定されている。
【００１９】
次の行為は、あらゆる空気を室１７から除去するためにプランジャをわずかに押し込むものである。次いで、注射器は、図７（ｄ）に示される位置にある。次いで、注射器は、針が患者の中に挿入された後にプランジャ２２を完全に押し込むことによって実施される注入段階について準備され、用意が完了する。注入段階が完了した後、注射器は、図７（ｅ）に示される位置にある。注入段階の完了後、使用者は、フランジ３４に対する親指の圧力を解放し、プランジャと内部バレルは、ばね２０によって与えられる力のために外部バレルから外向きに押される。図７（ｆ）は、この運動の初期部分を示し、図７（ｇ）は、プランジャと内部バレルが外部バレル１１から外にほぼ完全に延びる終了結果を示す。この位置において、針は、外部バレルの中に完全に引き込まれ、針に刺される可能性がある医療担当者や他者が接触する危険性はない。図７（ｇ）に示されるこの状態において、内部バレルは、外部バレルに対してその位置において永続的にロックされ、したがって、注射器をさらに使用することは防止される。
【００２０】
図８〜１７に示される代替実施形態は、製造が容易であることを目的として、本質的に第１実施形態とは異なる。図８、９からわかるように、内部バレル４４は、柔軟フィンガー２９、３１の代わりに、内部バレルが、開放端部１４に隣接する内部バレルの外面において、先細り溝４２の内部に構成される段階式環状突出部４０を有する点が異なる。この突出部４０は、フィンガー２９と置き替わり、内部バレル４４の他のまたは内側の端部の環状ステップ４３が、部分的にフィンガー３１と置き替わる。
【００２１】
外部バレル１１（図１０）は、第１端部１８に隣接して溝２８を有さず、第２端部１９においては第１実施形態に非常に類似している。すなわち、第２端部１９において、外部バレルは、わずかに拡大された内部ボアと、第１実施形態に非常に類似している環状溝４５を有する。
【００２２】
この代替実施形態の内部バレルと外部バレルの他の修正は、２つのバレルが初期状態またはパッケージ状態にあるとき、２つのバレル間の相対回転を防止することを目的とする。これにより、針ハウジングのルアー・ロックの上に針を取り付けるのが容易になる。修正は、内部バレルの第１端部１８に延長部５０を含み、延長部は、その先端にのこぎり歯構成５１を有する。同様に、外部バレルの第１端部１８は、注射器の初期状態またはパッケージ状態において内部バレルのこぎり歯構成５１と係合するように適合された内向きのこぎり歯構成５２を有する。
【００２３】
インサート４６（図１１）は、以前の実施形態のインサート１１ａとはかなり異なる。インサート４６は、本質的にスリーブであり、外部バレルの拡大ボアの内部においてぴったりと嵌着され、溝４５の中にロックする環状フランジ４７によって適所において永続的に配置される。
【００２４】
インサートまたはスリーブ４６は、インサートの周上に等間隔で位置する対向柔軟フィンガー４８の４つの対を有する。フィンガー４８のそれぞれは、薄膜４９によってインサートの主本体に接続され、通常状態において内向きに傾斜する。空間が、対向フィンガー４８の各対の自由端部の間に存在し、空間は、注射器が初期位置にあり、かつ注入ストロークより前のとき、内部バレル４４の環状突出部４０を収容するように適合される。内部バレル４４の延長部５０は、ばね２０の端部を収容し、かつばね端部を適所に保持するために、傾斜面６０（たとえば図１６参照）を有する第２環状突出部４１を含むことにも留意されたい。突出部４１は、インサート４６の内径より大きい（および、内部バレルの残りの外径より大きい）外径を有し、したがって、注射器の初期組立て後、内部バレルが外部バレルから完全に引き出されるのを防止するように作用する。ステップ４３と突出部４１との組合わせは、第１実施形態のフィンガー３１と置き替わるように作用する。
【００２５】
この代替実施形態の注射器の動作は、第１実施形態の動作と同じである。まず、内部バレルの環状突出部４０は、フィンガー４８の４つの対のそれぞれの間に固定され（図１２参照）、それにより、内部バレルは、それぞれのこぎり歯構成が係合した状態で、外部バレルに対して適所にロックされる。プランジャがまず完全に押し込まれる際（図１４参照）、プランジャ２２の上の環状リッジまたはシェルフ３３が、フィンガー４８の最初の４つ、すなわち第２端部１９に最も近い各対のフィンガーと係合する。そのような係合により、フィンガーは外向きに移動し、外部バレルに対する固定から内部バレルを解放し、その結果、ばねの行為により、内部バレルは、プランジャに対する圧力が解放される際に引込み位置に移動する。この動作は、第１実施形態の動作と同じであり、環状突出部４１がインサート４６の内端部と係合し（図１６参照）、各対の内部フィンガー４８が内部バレル４４のステップ４３と係合するとき、終了する。次いで、内部バレルは、外部バレルに対して適所において永続的にロックされる。
【００２６】
図１３は、プランジャが、リミット・キャッチ２３がプランジャの完全押込みを防止する初期状態またはパッケージ状態から最初に押し込まれるときの注射器を示す。図１５は、注入ストローク（プランジャの完全押込み）とプランジャに対する圧力の解放後の注射器の状態を示す。内部バレルが第１位置から第２位置または完全引込み位置に移動する際の内部バレルと外部バレルとの間の相対位置が示されている。
【００２７】
図１７の分解図は、第１実施形態の図６と同様であり、同じまたは同様の部分は、同じ参照符号を有する。
【００２８】
本発明は、構成と動作が比較的簡単な１回使用引込み式注射器を提供することが当業者には明らかになるであろう。内部バレルが外部バレルの外部に実質的に延びる位置に内部バレルを引き込ませることによって、注射器は、以上において参照された本出願人の以前の国際特許において記載されている注射器より著しく小型にすることができる。実際、注射器のサイズは、内部バレルのサイズを左右する注入される医薬品の容積にのみ依存する。
【００２９】
本明細書において記述された本発明の精神および範囲から逸脱せずに、上述された実施形態に対して修正を容易に実施することが可能であることも、当業者には明らかになるであろう。
【図面の簡単な説明】
【００３０】
【図１】使用の準備が完了している状態にあり、より大きな規模において注射器のそれぞれの端部を示す、本発明による注射器の断面側面図である。
【図２】図１と同様であり、ピストン封止を壊すためにプランジャを当初押し込んだ後の状態にある注射器を示す図である。
【図３】図１と同様であり、内部バレルおよび針の引込み開始時における注入ストロークの完了後の注射器を示す図である。
【図４】図３と同様であり、内部バレルおよび針をわずかに引き込んだ後の注射器を示す図である。
【図５】先行図と同様であり、完全に引き込まれた状態にある注射器を示す図である。
【図６】注射器の様々な構成要素の透視分解図である。
【図７】注射器の動作の様々な段階を示す、縮尺規模における透視図である。
【図８】本発明の代替でより好ましい実施形態による内部バレルの側面図である。
【図９】図８に示された内部バレルの断面図である。
【図１０】図８および９の実施形態による外部バレルの断面側面図である。
【図１１】図１０の外部バレルのインサートの断面側面図である。
【図１２】針が添付された状態で注射器が使用の準備が完了しているときの部分の相対位置を示す、代替実施形態による注射器の拡大規模における断面側面図である。
【図１３】部分がプランジャの初期押込み後の位置にある代替実施形態を示す図１２と同様の図である。
【図１４】注入ストロークの完了後の部分の相対位置を示す図１２および１３と同様の図である。
【図１５】部分が引込み位置に向かって移動する際の注入ストローク後の部分の相対位置を示す図１２〜１４と同様の図である。
【図１６】注射器が使用不能であり、針が完全に引込まれているときの部分の相対位置を示す図１２〜１５と同様の図である。
【図１７】代替のより好ましい実施形態による注射器の様々な構成要素の透視分解図である。
【図１】
2007529243.tif 000003
【図２】
2007529243.tif 000004
【図３】
2007529243.tif 000005
【図４】
2007529243.tif 000006
【図５】
2007529243.tif 000007
【図６】
2007529243.tif 000008
【図７】
2007529243.tif 000009
【図８】
2007529243.tif 000010
【図９】
2007529243.tif 000011
【図１０】
2007529243.tif 000012
【図１１】
2007529243.tif 000013
【図１２】
2007529243.tif 000014
【図１３】
2007529243.tif 000015
【図１４】
2007529243.tif 000016
【図１５】
2007529243.tif 000017
【図１６】
2007529243.tif 000018
【図１７】
2007529243.tif 000019
【国際調査報告】
2007529243.tif 000020
2007529243.tif 000021
2007529243.tif 000022